【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
材料を收容するようにした袋のための再閉可能なファスナーにおいて、内側部分を有する第１形状部を含んでいる第１軌道と、内側部分を有するとともに前記第１形状部と互いに解除可能に噛み合わせることができる第２形状部を含んでいる第２軌道と、前記第１軌道と第２軌道とを噛み合わせるスライダであって、
上部、第１側部、第２側部、及び前記上部の下側の分離部材を含む本体を備えており、前記分離部材は、前記第１軌道と第２軌道とを開閉できるようになっていて、第１スライダフィンガーと第２スライダフィンガーを備えたスライダであり、前記第１スライダフィンガーは、前記本体の前記上部から概ね下方向に伸張し、前記第１形状部の内側部分内へと伸張しており、前記再閉可能なファスナーを閉じるときに、前記第１形状部の内側部分内に詰まっている材料を取り除く支援をし、前記第２スライダフィンガーは、前記上部から概ね下方向に伸張し、前記第２形状部の内側部分へと伸張しており、前記再閉可能なファスナーを閉じるときに、前記第２形状部の内側部分内に詰まっている材料を取り除く支援をするように構成されたことを特徴とするファスナー。
【請求項２】
前記スライダは一体型構造である、請求項１に記載のファスナー。
【請求項３】
前記スライダは概ね逆Ｕ字型部材である、請求項１に記載のファスナー。
【請求項４】
前記第１スライダフィンガーは、前記第１形状部の内側部分に形成されている下側面に当接しており、前記第１形状部は雌型形状部である、請求項１に記載のファスナー。
【請求項５】
前記第１スライダフィンガーは傾斜している、請求項１に記載のファスナー。
【請求項６】
前記第２スライダフィンガーは傾斜している、請求項５に記載のファスナー。
【請求項７】
前記第１スライダフィンガーと前記第２スライダフィンガーは、共通のスライダフィンガー部分からの別々の延長部である、請求項１に記載のファスナー。
【請求項８】
前記第１スライダフィンガーは前記第１形状部に延長してその内側部分をほぼ充填している、請求項１に記載のファスナー。
【請求項９】
材料を収容できるようになっている袋に使用するための再閉可能なファスナーの使用方法であって、下記の段階からなることを特徴とする方法：
内側部分を有する第１形状部を備えている第１軌道と、内側部分を有するとともに前記第１形状部と互いに解除可能に噛み合わせることができる第２形状部を含んでいる第２軌道とを提供する段階、前記第１軌道と第２軌道とを噛み合わせるスライダであって該スライダが上部、第１側部、第２側部、及び前記上部の下側にあってファスナーを開閉できるようにされた分離部材を含む本体からなり、且つ前記本体の前記上部から概ね下方向に伸張する第１スライダフィンガー及び前記上部から概ね下方向に伸張する第２スライダフィンガーからなる前記スライダを提供する段階、前記再閉可能なファスナーを閉じる時前記第１形状部の内側部分に前記第１スライダフィンガーが伸張して前記第１形状部の前記内側部分に捕捉された材料を除去するために支援し、同様に前記再閉可能なファスナーを閉じる時前記第２形状部の内側部分に前記第２スライダフィンガーが伸張して前記第２形状部の前記内側部分に捕捉された材料を除去するために支援するように袋の前記第１軌道及び第２軌道上で前記スライダを把持しつつ可動せしめる段階、とによって構成されることを特徴とする方法。
【請求項１０】
材料を收容するようにした再閉可能な袋であり、第１の本体パネルと、一対の側部及び底部に沿って前記第１の本体パネルに固定的に結着される第２の向かい合った本体パネルと、前記底部に対向して形成された口部に沿って前記第１の本体パネル及び前記第２の本体パネルに取り付けた再閉可能なファスナーと、によって構成され、該再閉可能なファスナーは第１形状部及び該第１形状部の有する内側部分を含む第１軌道、内側部分の有する第２形状部を含む第２軌道及びスライダを備え、前記第１形状部と第２形状部とは互いに解除可能に噛み合わせることができるようになされ、前記スライダは前記第１軌道と第２軌道とを噛み合わせており、該スライダは、上部、第１側部、第２側部及び前記上部の下側の分離部材を含み、該分離部材が前記本備の上部から概ね下方向に伸張するとともに前記再閉可能なファスナーが閉じる時前記第１形状部の内側部分に伸張して該第１形状部の内側部分に捕捉された材料を除去するように支援する第１のスライダフィンガーと、前記上部から下方向に伸張し、前記再閉可能なファスナーを閉じる時前記第２形状部の内側部分に伸張して前記第２形状部の内側部分に捕捉された材料を除去するように支援する第２のスライダフィンガーと、を備えてなることを特徴とする再閉可能な袋。
【請求項１１】
内部空間に材料を受け入れるようにした袋に用いるための再閉可能なファスナーであり、第１形状部、第１のフィン部分及び第１のフィンフラップからなる第１軌道であって、前記第１フィン部分が前記第１形状部から概ね下方向に伸張し、前記第１のフィンフラップが前記第のフィンに取り付けられ且つ前記袋の内側に向って上方向外向きに伸長して前記第１形状部及び第２形状部の少なくとも一方の内側領域に材料が入り込むことを防止するようにした前記第１軌道と、第２形状部、第２のフィン部分及び第２のフィンフラップからなり前記第１形状部と互いに解除可能に噛み合うことができる第２形状部を備えた第２軌道であって、前記第２のフィン部分が前記第２形状部から概ね下方向に伸張し、前記第２のフィンフラップが前記第２のフィン部分に取り付けられるとともに前記袋の前記内側空間に対して上方向外向きに伸長しこれによって前記第１形状部及び第２形状部の少なくとも一方の内部領域に材料が入り込むことを防止するようにした第２軌道と、を具備することを特徴とするファスナー。
【請求項１２】
前記第１フィンフラップは前記第１フィン部と一体に形成されており、前記第２フィンフラップは前記第２フィン部と一体に形成されている、請求項１１に記載のファスナー。
【請求項１３】
内部空間に材料を收容するようにした袋に用いるための再閉可能なファスナーであって、第１形状部及び該第１形状部から概ね下方向に伸張した第１フィン部分からなる第１軌道と、第２形状部、第２フィン部分及び第１フィンフラップからなり、前記第１形状部と第２形状部とが互いに解除可能に噛み合うことができるようになされ、前記第２フィン部分が前記第２形状部から概ね下方向に伸張し、前記第１フィンフラップが前記第２フィン部分に取り付けられ前記袋の前記内部空間に対し上方向外向きに伸張しそれによって前記第１形状部及び第２形状部の少なくとも一方の内部領域に材料が入り込むのを防止するようにした第２軌道と、からなることを特徴とするファスナー。
【請求項１４】
材料を収容できるようになっている内側空間を有する袋に使用するための再閉可能なファスナーにおいて、
内側領域を有する第１形状部を備えている第１軌道であって、前記第１形状部は、材料が前記第１形状部の内側領域に入るのを防ぐか又は阻止する概ね薄壁の可撓シールドを有している第１軌道と、
第２形状部を備えている第２軌道であって、前記第１形状部と前記第２形状部は、前記第２形状部の一部を前記第１形状部の内側領域に入れることによって互いに解除可能に噛み合わせることができるように構成されている第２軌道と、を備えており、
前記概ね薄壁の可撓シールドの一部は、前記第２形状部の一部が前記第１形状部の内側領域に入るのに応じて壊れるか、破れるか、または裂けるようになっている、再閉可能なファスナー。
【請求項１５】
材料を収容できるようになっている内側空間を有する袋に使用するための再閉可能なファスナーにおいて、
第１形状部を備えている第１軌道であって、前記第１形状部は概ねＣ字型であり、２つの概ね薄壁の可撓シールドを更に含んでおり、前記概ねＣ字型は、間隔を空けて配置され且つ第１部分に取り付けられている２つの延長部から形成されており、前記２つの延長部は、前記第１部分から離れて配置されているそれぞれの外側端部を有しており、前記２つの概ね薄壁の可撓シールドは、それぞれ、前記２つの延長部の前記外側の各端部付近に取り付けられ、材料が前記第１形状部の内側領域に入るのを防ぐか又は阻止するように構成されている第１軌道と、
第２形状部を備えている第２軌道であって、前記第１形状部と前記第２形状部は互いに解除可能に噛み合わせることができるように構成されている第２軌道と、を備えており、
前記概ね薄壁の両可撓シールドは、前記第２形状部の一部が前記概ねＣ字型の区画によって形成されている内側領域に入ることができるように、僅かに離して配置されている、ファスナー。
【請求項１６】
材料を収容できるようになっている内側空間を有する袋に使用するための再閉可能なファスナーにおいて、
第１形状部を備えている第１軌道であって、前記第１形状部はその内側領域内に形成されているガスケットを含んでおり、前記ガスケットは、材料が、前記第１形状部の内側領域に入るのを防ぐか又は阻止し、及び／又は材料を前記第１形状部の内側領域から放出するように構成されている第１軌道と、
第２形状部を備えている第２軌道であって、前記第１形状部と前記第２形状部は互いに解除可能に噛み合わせることができるように構成されている第２軌道と、を備えており、
前記ガスケットは、前記第１形状部と前記第２形状部が噛み合わせられると、圧縮されるようになっている、ファスナー。